(57)【特許請求の範囲】
【請求項１】
無線チャネルの通信速度が可変な移動通信システムにおける移動通信端末の前記無線チャネルにおける通信のウィンドウサイズを制御するウィンドウサイズ制御装置であって、
通信速度とウィンドウサイズとの関係を示すテーブルを記憶する記憶部と、
前記通信の品質を測定する手段と、
測定された前記通信の品質に応じて前記テーブルを更新する手段と、
前記無線チャネルの情報から前記通信の通信速度を決定する手段と、
前記テーブルを参照することにより、決定された前記通信速度から前記通信のウィンドウサイズを決定する手段と、
決定された前記ウィンドウサイズにより前記通信のウィンドウサイズを制御する手段と
を備えたことを特徴とするウィンドウサイズ制御装置。
【請求項２】
前記移動通信端末の移動状況を検出する手段をさらに備え、
前記記憶部は、前記移動状況にそれぞれ対応する複数の前記通信速度とウィンドウサイズとの関係を示すテーブルを記憶し、
前記ウィンドウサイズを決定する手段は、前記移動通信端末の移動状況を検出する手段によって検出された前記移動状況に対応する前記テーブルを参照することにより通信のウィンドウサイズを決定することを特徴とする請求項１に記載のウィンドウサイズ制御装置。
【請求項３】
前記請求項１または２に記載のウィンドウサイズ制御装置を備えたことを特徴とする移動通信端末。
【請求項４】
前記請求項１または２に記載のウィンドウサイズ制御装置を備えたことを特徴とする無線制御装置。
【請求項５】
無線チャネルの通信速度が可変な移動通信システムであって、前記移動通信システムの移動通信端末の前記無線チャネルにおける通信のウィンドウサイズを制御するウィンドウサイズ制御装置を備え、当該ウィンドウサイズ制御装置は、
通信速度とウィンドウサイズとの関係を示すテーブルを記憶する記憶部と、
前記通信の品質を測定する手段と、
測定された前記通信の品質に応じて前記テーブルを更新する手段と、
前記無線チャネルの情報から前記通信の通信速度を決定する手段と、
前記テーブルを参照することにより、決定された前記通信速度から前記通信のウィンドウサイズを決定する手段と、
決定された前記ウィンドウサイズにより前記通信のウィンドウサイズを制御する手段と
を備えたことを特徴とする移動通信システム。
【請求項６】
通信速度とウィンドウサイズとの関係を示すテーブルを記憶する記憶部を備える移動通信端末において無線チャネルにおける通信のウィンドウサイズを制御するウィンドウサイズ制御方法であって、
前記通信の品質を測定するステップと、
測定された前記通信の品質に応じて前記テーブルを更新するステップと、
無線チャネルの情報から前記通信の通信速度を決定するステップと、
前記テーブルを参照することにより、決定された前記通信速度から前記通信のウィンドウサイズを決定するステップと、
決定された前記ウィンドウサイズにより前記通信のウィンドウサイズを制御するステップと
を備えたことを特徴とする移動通信端末におけるウィンドウサイズ制御方法。
【発明の詳細な説明】
【技術分野】
【０００１】
本発明は、ウィンドウサイズ制御装置、移動通信端末、無線制御装置、移動通信システムおよび移動通信端末におけるウィンドウサイズ制御方法に関し、より詳細には無線チャネル情報から決定したウィンドウサイズに基づいてウィンドウサイズを制御するウィンドウサイズ制御装置、移動通信端末、無線制御装置、移動通信システムおよび移動通信端末におけるウィンドウサイズ制御方法に関する。
【背景技術】
【０００２】
近年の通信技術および情報処理技術の発展により、通信システムにおける高速化および大容量化が進んでいる。移動通信システムなどの無線通信システムにおいては、無線区間における通信の高速化および低損失化が重要であり、昨今研究開発が進められている。
【０００３】
また、移動通信システムにおいては、変動する通信品質の状況に応じて無線チャネルを動的に変更するＨＳＤＰＡ（High Speed Downlink Packet Access）などの通信方法の研究開発が進められている。無線チャネルを動的に設定変更する通信方法では、無線チャネルの動的な変更に伴い、通信速度が頻繁に更新される（例えば、非特許文献１参照）。
【０００４】
また、従来、無線チャネルの伝送品質に基づいて通信制御を行うことで、高速化および大容量化を実現する移動通信システムが知られている（例えば、特許文献１参照）。
【０００５】
【特許文献１】特開２００３−３１９４５８号公報
【非特許文献１】保田  佳之 他著、「ＨＳＤＰＡの概要」、ＮＴＴ技術ジャーナル、２００７年２月、ｐ．３２−３６、http://www.ntt.co.jp/journal/0702/files/jn200702032.pdf
【非特許文献２】３ＧＰＰ  ＴＳ ３４．１０８，２００７年
【非特許文献３】３ＧＰＰ  ＴＳ ２５．２１４，１９９９年
【非特許文献４】３ＧＰＰ  ＴＳ ２５．３０６，２００３年
【非特許文献５】３ＧＰＰ  ＴＳ ２５．３３１，２００４年
【非特許文献６】３ＧＰＰ  ＴＳ ２５．３０８，２００４年
【非特許文献７】３ＧＰＰ  ＴＳ ２５．３２２，２０００年
【発明の開示】
【発明が解決しようとする課題】
【０００６】
しかしながら、通信を開始してから通信制御を行う従来の通信システムでは、通信開始時、通信チャネルの変更時、または通信状態の変更時に、必ずしも適切なウィンドウサイズを設定することができず、ウィンドウサイズの初期値または前回設定したウィンドウサイズと同じサイズのウィンドウサイズを適用していたという問題があった。
【０００７】
本発明は、このような問題に鑑みてなされたもので、その目的とするところは、通信開始時、通信チャネルの変更時、または通信状態の変更時に、無線チャネルの情報に応じたウィンドウサイズを設定することにより、適切なウィンドウサイズでの通信を可能にするウィンドウサイズ制御装置、移動通信端末、無線制御装置、移動通信システムおよび移動通信端末におけるウィンドウサイズ制御方法を提供することにある。
【課題を解決するための手段】
【０００８】
本発明は、このような目的を達成するために、請求項１に記載の発明は、無線チャネルの通信速度が可変な移動通信システムにおける移動通信端末の前記無線チャネルにおける通信のウィンドウサイズを制御するウィンドウサイズ制御装置であって、通信速度とウィンドウサイズとの関係を示すテーブルを記憶する記憶部と、前記通信の品質を測定する手段と、測定された前記通信の品質に応じて前記テーブルを更新する手段と、前記無線チャネルの情報から前記通信の通信速度を決定する手段と、前記テーブルを参照することにより、決定された前記通信速度から前記通信のウィンドウサイズを決定する手段と、決定された前記ウィンドウサイズにより前記通信のウィンドウサイズを制御する手段とを備えたことを特徴とする。
【００１１】
請求項２に記載の発明は、請求項１に記載のウィンドウサイズ制御装置であって、前記移動通信端末の移動状況を検出する手段をさらに備え、前記記憶部は、前記移動状況にそれぞれ対応する複数の前記通信速度とウィンドウサイズとの関係を示すテーブルを記憶し、前記ウィンドウサイズを決定する手段は、前記移動通信端末の移動状況を検出する手段によって検出された前記移動状況に対応する前記テーブルを参照することにより通信のウィンドウサイズを決定することを特徴とする。
【００１２】
請求項３に記載の発明は、移動通信端末であって、前記請求項１または２のいずれかに記載のウィンドウサイズ制御装置を備えたことを特徴とする。
【００１３】
請求項４に記載の発明は、無線制御装置であって、前記請求項１または２のいずれかに記載のウィンドウサイズ制御装置を備えたことを特徴とする。
【００１４】
請求項５に記載の発明は、無線チャネルの通信速度が可変な移動通信システムであって、前記移動通信システムの移動通信端末の前記無線チャネルにおける通信のウィンドウサイズを制御するウィンドウサイズ制御装置を備え、当該ウィンドウサイズ制御装置は、通信速度とウィンドウサイズとの関係を示すテーブルを記憶する記憶部と、前記通信の品質を測定する手段と、測定された前記通信の品質に応じて前記テーブルを更新する手段と、前記無線チャネルの情報から前記通信の通信速度を決定する手段と、前記テーブルを参照することにより、決定された前記通信速度から前記通信のウィンドウサイズを決定する手段と、決定された前記ウィンドウサイズにより前記通信のウィンドウサイズを制御する手段とを備えたことを特徴とする。
【００１５】
請求項６に記載の発明は、通信速度とウィンドウサイズとの関係を示すテーブルを記憶する記憶部を備える移動通信端末において無線チャネルにおける通信のウィンドウサイズを制御するウィンドウサイズ制御方法であって、前記通信の品質を測定するステップと、
測定された前記通信の品質に応じて前記テーブルを更新するステップと、無線チャネルの情報から前記通信の通信速度を決定するステップと、前記テーブルを参照することにより、決定された前記通信速度から前記通信のウィンドウサイズを決定するステップと、決定された前記ウィンドウサイズにより前記通信のウィンドウサイズを制御するステップとを備えたことを特徴とする。
【発明の効果】
【００１６】
以上説明したように、本発明によれば、通信開始時、通信チャネルの変更時、または通信状態の変更時に、無線チャネルの情報に応じたウィンドウサイズを設定することにより、適切なウィンドウサイズでの通信が可能となる。
【発明を実施するための最良の形態】
【００１７】
以下、図面を参照しながら本発明の実施形態について詳細に説明する。
【００１８】
本明細書において、ウィンドウサイズは、例えば、移動通信システムにおけるＨＳＤＰＡ（High Speed Downlink Packet Access）のためのＭＡＣ（Medium Access Control：媒体アクセス制御）やＲＬＣ（Radio Link Control：無線リンク制御）を含むデータリンクレイヤにおけるＰＤＵ（Protocol Data unit）のフローの制御に用いるウィンドウサイズに相当する（例えば、非特許文献１（図１）参照）が、本願発明は、これに限定されるものではなく、例えば、ＯＳＩ参照モデルのトランスポート層にあたるＴＣＰ（Transmission Control Protocol）におけるウィンドウサイズ（ＴＣＰパケットのＴＣＰヘッダに設定される）の制御にも適用できる。
【００１９】
図１は、本発明の一実施形態にかかる移動通信システムを示す構成図である。移動通信システムは、移動通信端末１００と、基地局２００と、無線制御装置３００とを備える。
【００２０】
移動通信端末１００は、アンテナ１０２と、送受信部１０４と、制御部１１６と、記憶部１２４とを備える。移動通信端末１００は、制御部１１６による制御の下、アンテナ１０２および送受信部１０４を介して、基地局２００との間で信号を送受信する。送受信部１０４において受信した信号から抽出された無線チャネルにつての情報（無線チャネル情報）は、他の構成要素が参照できるように記憶部１２４へ格納されるか、他の構成要素へ直接提供されるように構成することができる。
【００２１】
制御部１１６は、ウィンドウサイズ制御部１１４と、ウィンドウサイズ決定部１２０とを備える。また、ウィンドウサイズ決定部１２０は、無線チャネル情報からウィンドウサイズを決定し、ウィンドウサイズ制御部１１４は、決定されたウィンドウサイズに基づいて送受信部において送受される通信のウィンドウサイズを制御する。無線チャネル情報は、無線制御装置３００から無線基地局２００を介して通知される無線チャネル情報または移動通信端末における受信品質に基づいて決定される無線チャネル情報とすることができる。
【００２２】
また、制御部１１６は、無線チャネル情報から通信速度を決定する通信速度決定部１２６を備る。通信速度決定部１２６において決定された通信速度は、他の構成要素が参照できるように記憶部１２４へ格納されるか、他の構成要素へ直接提供されるように構成することができる。ウィンドウサイズ決定部１２０は、決定された通信速度からウィンドウサイズを決定するように構成することができる。ウィンドウサイズ決定部１２０は、予め定められた計算式に基づいて、決定された通信速度に対応するウィンドウサイズを決定するように構成することができる。あるいは、記憶部１２４に通信速度とウィンドウサイズとの関係を示すテーブルを記憶し、ウィンドウサイズ決定部１２０は、記憶部１２４のテーブルを参照することで、決定された通信速度に対応するウィンドウサイズを決定するように構成することができる。
【００２３】
さらに、移動通信端末１００は、送受信する信号の受信特性、信号ブロックのエラーレートおよびデータ損失率などの品質を測定する品質測定部１１２を備え、制御部１１６は、測定された品質に応じて記憶部１２４のテーブルを更新するテーブル更新部１２８を備えるように構成することができる。品質の測定には、無線制御装置３００または基地局２００との間で送受信される通信の品質についての情報（例えば、後述するＣＱＩなどの受信品質に対応づけられた指数）を送受信することも含まれる。品質測定部１１２から出力される品質についての情報は、他の構成要素が参照できるように例えば品質履歴として記憶部１２４へ格納されるか、他の構成要素へ直接提供されるように構成することができる。
【００２４】
さらにまた、移動通信端末１００は、移動通信端末の移動を検出する移動検出部１１８を備え、記憶部１２４は、移動状況（移動または静止状態、もしくは移動速度）に対応する通信速度とウィンドウサイズとの関係を示すテーブルを記憶し、ウィンドウサイズ決定部１２０は、移動状態および決定された通信速度に対応するウィンドウサイズを決定するように構成することができる。移動検出部１１８は、例えば、品質履歴からフェージングを推定すること、加速度センサ、およびＧＰＳ（Global Positioning System）のような測位システムのいずれかまたは組み合わせにより、移動状態にあるか静止状態にあるかを判定することができ、さらに移動速度を検出することもできる。移動検出部１１８から出力される移動状況に関する情報は、他の構成要素が参照できるように記憶部１２４へ格納されるか、他の構成要素へ直接提供されるように構成することができる。
【００２５】
また、移動通信端末１００は、マイク１０６およびスピーカー１０８と接続された音声処理部１１０を備える。マイクから入力された音声は、音声処理部１１０により信号処理（アナログ／デジタル）されて送受信部１０４を介して基地局２００へ送信される。また、基地局２００より受信した信号は、音声処理部１１０にて信号処理（デジタル／アナログ）されてスピーカー１０８から出力される。信号の送受信のフローは、ウィンドウサイズ制御部１１４によって制御される。移動通信端末１００は、図示しないカメラや画像処理部を備え、送受信部１０４を介して基地局２００へ撮影した画像を送信するように構成することもできる。また、移動通信端末１００は、操作部１２２を備え、操作部からの入力される信号に応じて、移動通信端末と基地局２００との間の無線チャネルの設定要求信号を送信する。
【００２６】
なお、本明細書において、制御部１１６を、あるいは制御部１１６と関連する記憶部１１２、移動検出部１１８、および品質測定部１１２の少なくとも一部とをウィンドウサイズ制御装置とも呼ぶ。
【００２７】
基地局２００は、アンテナ２０２を備え、無線制御装置３００の制御下で、移動通信端末と無線通信する。基地局２００は、移動通信端末１００との間に設定する無線チャネルの情報（無線チャネル情報）を無線制御装置３００から受信して移動通信端末１００へ通知するとともに無線チャネルを確立する。また、基地局装置は、移動通信端末１００との間の無線チャネルの品質を測定して移動通信端末１００へ通知することができる。また、移動通信端末１００との間の無線チャネルの品質についての情報を移動通信端末１００から受信して、無線チャネル情報を更新して移動通信端末１００へ通知することができる。
【００２８】
無線制御装置３００は、１つまたは複数の基地局２００と接続されこれらを制御する機能を有し、ＲＮＣ（Radio Network Controller）とも称される。また、無線制御装置３００は、図示しないコアネットワークと接続され、移動通信端末とコアネットワークとの間の通信を制御する機能を有する。
【００２９】
無線制御装置３００は、通信部３０２と、無線チャネル情報決定部３０４と、無線チャネル情報設定・変更部３０６と、ウィンドウサイズ制御部３０８と、ウィンドウサイズ決定部３１０とを備える。
【００３０】
通信部３０２は、基地局およびコアネットワークとの間の通信を行う。
【００３１】
無線チャネル情報決定部３０４は、移動通信端末１００またはコアネットワークからの通信チャネルの設定要求に応答して、移動通信端末１００と基地局２００との間に設定する無線チャネルの情報（無線チャネル情報）を決定し、無線チャネル情報設定・変更部３０６および通信部３０２を介して基地局２００へ通知する。無線チャネル情報は、さらに基地局を介して移動通信端末１００へ通知される。これにより、移動通信端末１００と基地局２００との間の無線チャネルが確立される。
【００３２】
無線チャネル情報設定・変更部３０６は、無線チャネル情報決定部３０４により決定された無線チャネル情報を、通信部３０２を介して基地局２００へ通知する。送信された無線チャネル情報は、さらに基地局を介して移動通信端末１００へ通知される。これにより、移動通信端末１００と基地局２００との間の変更された無線チャネル情報により、無線チャネルが確立される。
【００３３】
無線チャネル情報設定・変更部３０６は、フェージングなどにより移動通信端末１００と基地局２００との間の無線チャネルの品質に変動が生じた場合に、無線チャネル情報を変更し、通信部３０２を介して基地局２００へ通知する。変更された無線チャネル情報は、さらに基地局を介して移動通信端末１００へ通知される。これにより、移動通信端末１００と基地局２００との間の変更された無線チャネル情報により、無線チャネルが確立される。
【００３４】
無線チャネル情報決定部３０４および無線チャネル情報設定・変更部３０６において決定された無線チャネル情報は、他の構成要素が参照できるように記憶部３２０へ格納されるか、他の構成要素へ直接提供されるように構成することができる。
【００３５】
ウィンドウサイズ制御部３０８およびウィンドウサイズ決定部３１０は、移動通信端末１００に備えられたウィンドウサイズ制御部１１４およびウィンドウサイズ決定部１２０にそれぞれ対応する機能を有する。ウィンドウサイズ決定部３１０は、無線チャネル情報決定部３０４または無線チャネル情報設定・変更部３０６によって決定された無線チャネル情報もしくは基地局２００によって更新された無線チャネル情報からウィンドウサイズを決定し、ウィンドウサイズ制御部３０８は、決定されたウィンドウサイズに基づいて送受信部および基地局を介して移動通信端末１００との間で送受される通信のウィンドウサイズを制御する。
【００３６】
また、無線制御装置３００は、移動通信端末に備えられた通信速度決定部１２６に対応する機能を有する通信速度決定部３１２を備える。通信速度決定部３１２は、無線チャネル情報決定部３０４または無線チャネル情報設定・変更部３０６によって決定された無線チャネル情報もしくは基地局によって更新された無線チャネル情報から通信速度を決定する。通信速度決定部３１２において決定された通信速度は、他の構成要素が参照できるように記憶部３２０へ格納されるか、他の構成要素へ直接提供されるように構成することができる。ウィンドウサイズ決定部３１０は、決定された通信速度からウィンドウサイズを決定するように構成することができる。ウィンドウサイズ決定部３１０は、予め定められた計算式に基づいて、決定された通信速度に対応するウィンドウサイズを決定するように構成することができる。あるいは、記憶部３２０に通信速度とウィンドウサイズとの関係を示すテーブルを記憶し、ウィンドウサイズ決定部３１０は、記憶部３２０のテーブルを参照することで、決定された通信速度に対応するウィンドウサイズを決定するように構成することができる。
【００３７】
さらに、無線制御装置３００は、移動通信端末１００の品質測定部１１２に対応する機能を有する品質測定部３１８を備える。品質測定部３１８は、送受信する信号の受信特性、信号ブロックのエラーレートおよびデータ損失率などの品質を測定する。品質の測定には、移動通信端末１００または基地局２００から通知される品質についての情報を受信することも含まれる。品質測定部３１８から出力される品質についての情報は、他の構成要素が参照できるように、例えば品質履歴として記憶部３２０へ格納されるか、他の構成要素へ直接提供されるように構成することができる。
【００３８】
また、無線制御装置３００は、移動通信端末１００のテーブル更新部１２８に対応するテーブル更新部３１４を備える。テーブル更新部３１４は、品質測定部３１８によって測定された品質に応じて、記憶部３２０のテーブルを更新するテーブル更新部３１４を備えるように構成することができる。
【００３９】
さらにまた、無線制御装置３００は、移動通信端末１００の移動検出部１１８の機能に対応する機能を有する、移動通信端末の移動を検出する移動検出部３１８を備え、記憶部３２０は、移動通信端末１００の移動状況（移動または静止状態）に対応する通信速度とウィンドウサイズとの関係を示すテーブルを記憶し、ウィンドウサイズ決定部３１０は、移動状態および決定された通信速度に対応するウィンドウサイズを決定するように構成することができる。移動検出部３１８は、移動通信端末の移動を検出する。移動検出部３１８は、例えば、移動通信端末１００の在圏位置の更新に関する信号を検出すること、移動通信端末１００の在圏位置を管理するホーム・レジスタ（ＨＬＲ）やビジタ・ロケーション・レジスタ（ＶＬＲ）の参照すること、またはこれらのロケーション・レジスタからの通知を受信することによって、移動状態にあるか静止状態にあるかを判定することができ、さらに移動速度を検出（推定）することもできる。移動検出部１１８から出力される移動状況に関する情報は、他の構成要素が参照できるように記憶部１２４へ格納されるか、他の構成要素へ直接提供されるように構成することができる。
【００４０】
なお、本明細書において、ウィンドウサイズ制御部３０８およびウィンドウサイズ決定部３１０を、あるいは、ウィンドウサイズ制御部３０８およびウィンドウサイズ決定部３１０と、関連する通信速度決定部３１２、テーブル更新部３１４、移動検出部３１６および記憶部３２０の一部またはすべてとをウィンドウサイズ制御装置とも呼ぶ場合がある。
【００４１】
＜移動通信端末におけるウィンドウサイズの制御＞
図２乃至６を参照して、移動通信端末のウィンドウサイズ制御装置におけるウィンドウサイズの制御動作を説明する。図２は、ウィンドウサイズの制御の概要を示すフローチャートである。
【００４２】
移動通信端末１００は、制御部１１６において、ウィンドウサイズの設定または変更のイベントを検出したかどうかを判定する（Ｓ２０２）。ウィンドウサイズの設定または変更のイベントとは、操作部１２２からの入力に応じて送信される無線チャネルの設定要求信号検出や送受信部において受信したページング信号の受信など通信の開始とすることができ、または通信中における無線通信チャネル情報の変更とすることができる。
【００４３】
通信の開始時には、移動通信端末１００は、基地局２００を介して、無線制御装置３００の無線チャネル情報決定部３０４によって決定された無線チャネル情報を受信する。無線通信チャネル情報の変更時には、移動通信端末１００は、無線制御装置３００の無線チャネル設定・変更部３０６または基地局２００によって決定された変更後の無線チャネル情報を受信する。
【００４４】
次いで、ウィンドウサイズの設定または変更のイベントを検出すると、移動通信端末１００の通信速度決定部１２６は、受信した無線チャネル情報から通信速度を決定する（Ｓ２０４）。通信速度の決定方法の詳細については、後述する。
【００４５】
次いで、移動通信端末１００のウィンドウサイズ決定部１２０は、通信速度決定部１２６によって決定された通信速度に対応したウィンドウサイズを決定する（Ｓ２０６）。ウィンドウサイズの決定方法の詳細は、後述する。
【００４６】
移動通信端末１００は、このように決定したウィンドウサイズを用いて移動通信端末１００の通信を制御することができる。移動通信端末１００から基地局２００へ向かう方向の通信を制御する場合には、無線制御装置３００へウィンドウサイズの変更を通知するメッセージ（例えば、ＳＴＡＴＵＳ ＰＤＵの１つであるＷＩＮＤＯＷ Ｓｉｚｅ（決定したウィンドウサイズ））（非特許文献７  ９．２．２．１１．３参照）を送信してＲＬＣのウィンドウを制御することで、送受信部１０４の送信を制御する。また、基地局２００から移動通信端末１００へ向かう方向の通信を制御する場合には、ウィンドウサイズ制御部１１４は、決定したウィンドウサイズを送受信部１０４および基地局２００を介して無線制御装置３００へ通知するメッセージ（例えば、ＳＴＡＴＵＳ ＰＤＵのリザーブ領域にウィンドウサイズを格納して）を無線制御装置３００へ送信し、無線制御装置３００がＷＩＮＤＯＷ Ｓｉｚｅ（決定したウィンドウサイズ）を使用してＲＬＣのウィンドウを制御することで、通信を制御する。
【００４７】
（通信速度の決定方法１）
次に、通信速度の決定方法の一実施例を説明する。移動通信端末１００の送受信部１０４は、基地局２００から受信した信号に含まれる無線チャネル情報として、通信を行う無線チャネルの通信速度に対応した物理レイヤ、ＭＡＣレイヤおよびＲＬＣレイヤの各レイヤのパラメータを抽出する（例えば、非特許文献２  6.10.2.4.1.23.1 および6.10.4.1.25.2.1.1の表に示された無線パラメータ）。抽出したパラメータの組み合わせは、特定の無線チャネルの通信速度に対応付けられている。
【００４８】
したがって、移動通信端末１００の通信速度決定部１２６は、既知の複数の通信速度にそれぞれ対応するパラメータの組み合わせと、送受信部１０４において抽出されたパラメータの組み合わせを比較することにより、無線チャネルの通信速度を決定する。
【００４９】
（通信速度の決定方法２）
さらに、移動通信端末１００が無線チャネルの受信品質に対応づけられた指数（例えば、ＣＱＩ：Channel Quality Index（非特許文献６））送受信する場合の通信速度の決定方法の一実施例を説明する。受信品質に対応づけられた指数は、受信した信号の品質を送信側へ通知するためのもので、移動通信端末１００および基地局２００が共に、送信されるデータのサイズ（ＴＢ Ｓｉｚｅ：Transport Block Size）および変調・符号化方式（ＭＣＳ：Modulation and Coding Scheme）と指数とを対応付けるテーブル（非特許文献３ Table 6A.2）、およびデータ（ＴＢ：Transport Block）の最小送信間隔（最小ＴＴＩ間隔：非特許文献４のTable 5.1a）と指数とを対応付けるテーブル（記憶部に記憶されるか、または通信速度決定部１２６に既知のテーブル）を有する。移動通信端末１００は、受信品質に応じた指数を選択して、基地局２００へ送信する。指数を受信した基地局２００は、次のデータ送信に使用するデータのサイズ（ＴＢ Ｓｉｚｅ）、変調・符号化方式（ＭＣＳ）などを、指数を送信した移動通信端末１００へ送信する。同様に、移動通信端末１００は、基地局２００から指数を受信する。
【００５０】
移動通信端末１００の通信速度決定部１２６は、受信品質に対応づけられた指数を無線チャネル情報として使用して、通信速度を決定する。
【００５１】
移動通信端末１００の通信速度決定部１２６は、基地局との間で送受信する受信品質に対応づけられた指数から、送信されるデータのサイズ（Ｔｒａｎｓｐｏｒｔ ｂｌｏｃｋ Ｓｉｚｅ）およびデータの最小送信間隔を決定する。
【００５２】
次いで、移動通信端末１００の通信速度決定部１２６は、決定した送信されるデータのサイズおよびデータの最小送信間隔から、次の式（１）に基づいて通信速度を決定する。
【００５３】
【数１】
0004588075.tif 000002
【００５４】
送信されるデータのサイズは送信間隔あたりのビット数であり、送信間隔は固定の時間間隔である。したがって、式（１）により、最小送信間隔における通信速度を決定することができる。
【００５５】
例えば、送信されるデータのサイズを５８８７ビット、最小送信間隔を１ｍ秒、送信間隔を２ｍ秒とすると、通信速度は式（１）より、約、２．８Ｍｂｐｓとなる。
【００５６】
（ウィンドウサイズの決定方法１）
次に、ウィンドウサイズの決定方法の一実施例を説明する。ウィンドウサイズ決定部１２０は、記憶部１２４に記憶されたテーブルを参照して、ウィンドウサイズを決定することができる。
【００５７】
図３は、記憶部１２４に記憶された通信速度とウィンドウサイズとの関係を示すテーブルの一例を示す図である。図３に示すテーブルは、通信速度、ＲＬＣ  ＰＤＵサイズおよびウィンドウサイズを格納する。
【００５８】
ウィンドウサイズ決定部１２０は、図３に示すテーブルを参照して、通信速度決定部１２６により決定された通信速度に対応するウィンドウサイズを選択することにより、または、通信速度決定部１２６により決定された通信速度と受信した無線チャネル情報のうちのＲＬＣ  ＰＤＵサイズとの組み合わせに対応するウィンドウサイズを選択することにより、ウィンドウサイズを決定することができる。
【００５９】
ウィンドウサイズは、確認応答あるいは背定応答（ＡＣＫ：acknowledge）信号を受信するまでに送信できるＲＬＣ ＰＤＵの個数と規定することができ、ウィンドウサイズが決定されるとＲＬＣ ＰＤＵサイズとの関係でＡＣＫ信号を受信するまでに送信できる情報量が決定される。例えば、図３において、通信速度が３２ｋｂｐｓおよびＲＬＣ  ＰＤＵサイズが５ｋバイト以下のとき、ウィンドウサイズが３に決定される。このときＲＬＣ  ＰＤＵサイズが５ｋバイトとすると、１５ｋバイト分の情報を格納した複数のＰＤＵの送信が可能となる。同様に、通信速度が３２ｋｂｐｓおよびＲＬＣ  ＰＤＵサイズが５ｋバイトより大きく１５ｋバイト以下のとき、ウィンドウサイズが３に決定される。このときＲＬＣ  ＰＤＵサイズが１５ｋバイトとすると、４５ｋバイト分の情報を格納した複数のＰＤＵの送信が可能となる。さらに同様に、通信速度が６４ｋｂｐｓおよびＲＬＣ  ＰＤＵサイズが１０ｋバイトより大きく２０ｋバイト以下のときのとき、ウィンドウサイズが５に決定される。このときＲＬＣ  ＰＤＵサイズが２０ｋバイトとすると、１００ｋバイト分の情報を格納した複数のＰＤＵの送信が可能となる。以下に説明する図４および６においても同様である。また、ウィンドウサイズは、ＡＣＫ信号を受信するまでに送信できるＲＬＣ ＰＤＵの個数と関連づけられたインデックスとしても良い。
【００６０】
図４は、記憶部１２４に記憶された通信速度とウィンドウサイズとの関係を示すテーブルの一例を示す図である。図４に示すテーブルは、通信速度、ＲＬＣ  ＰＤＵサイズ、移動通信端末の移動状況が静止状態と判定されたときに参照されるウィンドウサイズおよび移動状況が移動状態と判定されたときに参照されるウィンドウサイズを格納する。
【００６１】
ウィンドウサイズ決定部１２０は、図４に示すテーブルを参照して、移動検出部１１８により検出された移動状況および通信速度決定部１２６により決定された通信速度に対応するウィンドウサイズを選択することにより、または、移動検出部１１８により検出された移動状況、通信速度決定部１２６により決定された通信速度および受信した無線チャネル情報のうちのＲＬＣ  ＰＤＵサイズとの組み合わせに対応するウィンドウサイズを選択することにより、ウィンドウサイズを決定することができる。
【００６２】
（ウィンドウサイズの決定方法２）
さらに、ウィンドウサイズの決定方法の別の実施例を説明する。ウィンドウサイズ決定部１２０は、予め定められた計算式を用いて、ウィンドウサイズを決定することができる。
【００６３】
ウィンドウサイズ決定部１２０は、通信速度決定部１２６により決定された通信速度および受信した無線チャネル情報のうちのＲＬＣ  ＰＤＵサイズから、次の式（２）に基づいてウィンドウサイズを決定することができる。
【００６４】
【数２】
0004588075.tif 000003
【００６５】
ここで、係数は、通信速度／ＰＬＣ ＰＤＵを移動通信システムに適したウィンドウサイズに補正するための補正値であり、例えば定数とすることができる。
【００６６】
例えば、通信速度を５００×１０２４ｂｐｓ、ＲＬＣ  ＰＤＵサイズを２５６バイト、係数を０．５とした場合、ウィンドウサイズは１２５と決定され、通信開始当初または無線チャネルの変更直後において、約３２ｋバイト分の情報を格納したＰＤＵが送信可能となる。
【００６７】
（テーブルの更新方法）
次に、図５乃至６を参照して、通信速度とウィンドウサイズの対応を示すテーブルを更新する方法の一実施例を説明する。図５は、通信速度とウィンドウサイズの対応を示すテーブルを更新する方法を示すフローチャートである。図６は、通信速度とウィンドウサイズとの関係を示すテーブルを示す図であり、（ａ）は更新前のテーブル、（ｂ）および（ｃ）はそれぞれ更新後のテーブルを示す図である。
【００６８】
移動通信端末１００のテーブル更新部１２８は、送受信部１０４において通信が行われているかどうかを判定する（Ｓ６０２）。
【００６９】
送受信部１０４が通信中であると判定した場合、移動通信端末１００のテーブル更新部１２８は、品質測定部１１２によって測定された信号ブロックのエラーレートを参照し（Ｓ６０４）、測定された信号ブロックのエラーレートが予め定められた目標ブロックエラーレートより小さいかどうかを判定する。
【００７０】
測定された信号ブロックのエラーレートが予め定められた目標ブロックエラーレートより小さいと判定した場合、移動通信端末１００のテーブル更新部１２８は、図６（ｃ）に示すように記憶部に記憶された通信速度とウィンドウサイズとの関係を示すテーブルの、ウィンドウサイズを増大する（Ｓ６０８）。他方、測定された信号ブロックのエラーレートが予め定められた目標ブロックエラーレート以上であると判定した場合、移動通信端末１００のテーブル更新部１２８は、図６（ｂ）に示すように記憶部に記憶された通信速度とウィンドウサイズとの関係を示すテーブルのウィンドウサイズを減少する（Ｓ６１０）。
【００７１】
Ｓ６０４において、移動通信端末１００のテーブル更新部１２８は、品質測定部１１２によって測定されたデータ損失率が予め定められた目標データ損失率より小さいかどうかを判定するように構成してもよい。
【００７２】
＜ＲＮＣにおけるウィンドウサイズの制御＞
次に、図２を参照して、無線制御装置３００のウィンドウサイズ制御装置におけるウィンドウサイズの制御動作を説明する。
【００７３】
上述した移動通信端末におけるウィンドウサイズの制御と同様に、無線制御装置３００は、ウィンドウサイズの設定または変更のイベントを検出したかどうかを判定する（Ｓ２０２）。ウィンドウサイズの設定または変更のイベントとは、通信部３０２における移動通信端末１００またはコアネットワークからの無線チャネルの設定要求の受信、品質測定部３２０における無線チャネルの品質低下、移動検出部３１６における移動通信端末の位置情報の更新の検出などとすることができる。
【００７４】
次いで、ウィンドウサイズの設定または変更のイベントを検出すると、無線制御装置３００の通信速度決定部３１２は、無線チャネル情報決定部３０４または無線チャネル情報設定・変更部３０６により決定された無線チャネル情報から通信速度を決定する（Ｓ２０４）。通信速度の決定方法の詳細については、上述した移動通信端末におけるウィンドウサイズの制御方法と同様であるので、繰り返しの説明は省略する。
【００７５】
次いで、無線制御装置３００のウィンドウサイズ決定部３１０は、通信速度決定部３１２によって決定された通信速度に対応したウィンドウサイズを決定する（Ｓ２０６）。ウィンドウサイズの決定方法の詳細は、上述した移動通信端末におけるウィンドウサイズの制御方法と同様であるので、繰り返しの説明は省略する。
【００７６】
無線制御装置３００は、このように決定したウィンドウサイズを用いて移動通信端末１００の通信を制御することができる。基地局２００から移動通信端末１００へ向かう方向の通信を制御する場合には、ウィンドウサイズ制御部３０８は、決定したウィンドウサイズを通信部３０２および基地局２００へ通知することで、移動通信端末１００の通信を制御する。また、移動通信端末１００から基地局２００へ向かう方向の通信を制御する場合には、ウィンドウサイズ制御部３０８は、決定したウィンドウサイズを通信部３０２および基地局２００を介して移動通信端末１００へ通知し、移動通信端末１００が無線制御装置３００から受信したウィンドウサイズを用いて通信を制御する。
【００７７】
（無線制御装置における通信速度の決定方法）
次に、無線制御装置３００における通信速度の決定方法について説明する。無線制御装置３００は、上述した通信速度の決定方法１および２と同様に通信速度を決定することができる。
【００７８】
無線制御装置３００の通信速度決定部３１２は、無線チャネル情報決定部３０４または無線チャネル情報設定・変更部３０６により決定された無線チャネル情報から、通信を行う無線チャネルの通信速度に対応した物理レイヤ、ＭＡＣレイヤおよびＲＬＣレイヤの各レイヤのパラメータを抽出する。抽出したパラメータの組み合わせは、特定の無線チャネルの通信速度に対応付けられている。
【００７９】
したがって、無線制御装置３００の通信速度決定部３１２は、既知の複数の通信速度にそれぞれ対応するパラメータの組み合わせと、送受信部１０４において抽出されたパラメータの組み合わせを比較することにより、無線チャネルの通信速度を決定することができる。
【００８０】
移動通信端末１００が無線チャネルの受信品質に対応づけられた指数（例えば、ＣＱＩ：Channel Quality Index（非特許文献６））送受信する場合、無線制御装置３００は、通信部３０２を介して基地局２００から受信品質に応じた指数を受信し、通信速度決定部３１２は、受信品質に対応づけられた指数を無線チャネル情報として使用して、通信速度を決定する。
【００８１】
無線制御装置３００の通信速度決定部３１２は、基地局との間で送受信する受信品質に対応づけられた指数から、送信されるデータのサイズ（Ｔｒａｎｓｐｏｒｔ ｂｌｏｃｋ Ｓｉｚｅ）およびデータの最小送信間隔を決定する。
【００８２】
次いで、決定した送信されるデータのサイズおよびデータの最小送信間隔から、上記の式（１）に基づいて通信速度を決定することができる。
【００８３】
（無線制御装置におけるウィンドウサイズの決定方法）
次に、無線制御装置３００におけるウィンドウサイズの決定方法の一実施例を説明する。無線制御装置３００のウィンドウサイズ決定部３１０は、図３および４を参照して上述したウィンドウサイズの決定方法１と同様に、記憶部３２０に記憶されたテーブルを参照して、ウィンドウサイズを決定することができる。
【００８４】
ウィンドウサイズ決定部３１０は、図３に示すテーブルを参照して、通信速度決定部３１２により決定された通信速度に対応するウィンドウサイズを選択することにより、または、通信速度決定部３１２により決定された通信速度と無線チャネル情報決定部３０４または無線チャネル情報設定・変更部３０６により決定された無線チャネル情報のうちのＲＬＣ  ＰＤＵサイズとの組み合わせに対応するウィンドウサイズを選択することにより、ウィンドウサイズを決定することができる。
【００８５】
または、ウィンドウサイズ決定部１２０は、図４に示すテーブルを参照して、移動検出部３１６により検出された移動状況および通信速度決定部３１２により決定された通信速度に対応するウィンドウサイズを選択することにより、または、移動検出部３１６により検出された移動状況、通信速度決定部３１２により決定された通信速度、および無線チャネル情報決定部３０４または無線チャネル情報設定・変更部３０６により決定された無線チャネル情報のうちのＲＬＣ  ＰＤＵサイズとの組み合わせに対応するウィンドウサイズを選択することにより、ウィンドウサイズを決定することができる。
【００８６】
また、無線制御装置３００のウィンドウサイズ決定部３１０は、上述したウィンドウサイズの決定方法２と同様に、予め定められた計算式を用いて、ウィンドウサイズを決定することもができる。
【００８７】
ウィンドウサイズ決定部３１０は、通信速度決定部３１２により決定された通信速度、および無線チャネル情報決定部３０４または無線チャネル情報設定・変更部３０６により決定された無線チャネル情報のうちのＲＬＣ  ＰＤＵサイズから、上記式（２）に基づいてウィンドウサイズを決定することができる。
【００８８】
（無線制御装置におけるテーブルの更新方法）
次に、無線制御装置３００における通信速度とウィンドウサイズの対応を示すテーブルを更新する方法の一実施例を説明する。無線制御装置３００のテーブル更新部３１４は、図５および６を参照して前述したテーブルの更新方法と同様に、記憶部３２０に記憶された通信速度とウィンドウサイズの対応を示すテーブルを更新することができる。
【００８９】
図５を参照すると、移動通信端末１００と基地局２００との間に無線チャネルが設定され通信が行われているかどうかを判定する（Ｓ６０２）。
【００９０】
無線チャネルが設定され通信中であると判定した場合、無線制御装置３００のテーブル更新部３１４は、品質測定部３１８によって測定された信号ブロックのエラーレートを参照し（Ｓ６０４）、測定された信号ブロックのエラーレートが予め定められた目標ブロックエラーレートより小さいかどうかを判定する。
【００９１】
無線制御装置３００のテーブル更新部３１４は、判定結果に応じて記憶部に記憶された通信速度とウィンドウサイズとの関係を示すテーブルの、ウィンドウサイズを更新する（Ｓ６０８、Ｓ６１０）。Ｓ６０４において、無線制御装置３００のテーブル更新部３１４は、品質測定部３１８によって測定されたデータ損失率が予め定められた目標データ損失率より小さいかどうかを判定するように構成してもよい。
【００９２】
以上説明したように、本発明によれば、無線ネットワークから移動通信端末へ通知される無線チャネルの情報に応じたウィンドウサイズを設定することにより、適切なウィンドウサイズでの通信が可能とり、スループットが向上する。また、設定される無線チャネルの通信速度がより低速に変更される場合であっても、事前にウィンドウサイズを小さくすることができるため、データ損失が生じた際の再送データ量を少なくすることができる。
【図面の簡単な説明】
【００９３】
【図１】本発明の一実施形態にかかる移動通信システムを示す構成図である。
【図２】本発明の一実施形態にかかるウィンドウサイズの制御の概要を示すフローチャートである。
【図３】本発明一実施形態にかかる通信速度とウィンドウサイズとの関係を示すテーブルを示す図である。
【図４】本発明一実施形態にかかる通信速度とウィンドウサイズとの関係を示すテーブルを示す図である。
【図５】本発明一実施形態にかかる通信速度とウィンドウサイズの対応を示すテーブルを更新する方法を示すフローチャートである。
【図６】本発明一実施形態にかかる通信速度とウィンドウサイズとの関係を示すテーブルを示す図であり、（ａ）は更新前のテーブル、（ｂ）および（ｃ）はそれぞれ更新後のテーブルを示す図である。
【符号の説明】
【００９４】
１００  移動通信端末
２００  基地局
３００  無線制御装置
１１４，３０８  ウィンドウサイズ制御部
１２０，３１０  ウィンドウサイズ決定部
１２６，３１２  通信速度決定部
【図１】
0004588075.tif 000004
【図２】
0004588075.tif 000005
【図３】
0004588075.tif 000006
【図４】
0004588075.tif 000007
【図５】
0004588075.tif 000008
【図６】
0004588075.tif 000009